(57)【要約】【課題】排水を阻害することなく光の侵入を防止できるベースカップを提案する。【解決手段】容器の底部に嵌合する開口を有する周壁（２ａ）と、この周壁（２ａ）につながりその裏面を接地させて該容器を周壁（２ａ）とともに自立させる底壁（２ｂ）からなるベースカップにおいて、前記底壁（２ｂ）を、その中央部を最も突出させて容器の底部を支えるとともにその縁部（２ｂ１）及び周壁（２ａ）との相互間にて環状凹部（３）を区画形成するドーム型の断面形状とする。そして、前記環状凹部（３）の底部に、前記縁部（２ｂ１）の周りに沿って伸延しベースカップ内に侵入した水分を底壁によって形成されたドーム型の空間（Ｄ）内へ向けて排出する横向きの開孔(５)を少なくとも１つ設け、この開孔（５）の直上に位置する底壁（２ｂ）の縁部（２ｂ１）に、該開孔（５）よりも大きな幅を有し容器の底部に密着する舌片状の遮蔽壁(６)を設ける。【選択図】図１
2006096365.tif 000002
【特許請求の範囲】
【請求項１】
容器の底部に嵌合する開口を有する周壁と、この周壁につながりその裏面を接地させて該容器を周壁とともに自立させる底壁からなるベースカップであって、
前記底壁は、その中央部を最も突出させて容器の底部を支えるとともにその縁部及び周壁との相互間にて環状凹部を区画形成するドーム型の断面形状からなり、
前記環状凹部の底部に、ベースカップ内に侵入した水分を底壁によって形成されたドーム型の空間内へ向けて排出する横向きの開口を少なくとも１つ設け、この開孔の直上に位置する底壁の縁部に、該開孔よりも大きな幅を有し容器の底部に密着する舌片状の遮蔽壁を設けたことを特徴とする容器用ベースカップ。
【請求項２】
前記遮蔽壁が、先端に向けて漸次薄肉になり、容器の底部の形状に合わせて変形可能な弾性体よりなる、請求項１記載の容器用ベースカップ。
【発明の詳細な説明】
【技術分野】
【０００１】
本発明は、合成樹脂製容器に適用して好適なベースカップに関するものであり、とくに、該ベースカップに設けられた水抜き開孔を通して侵入する光を防止しようとするものである。
【背景技術】
【０００２】
ペットボトルに代表される合成樹脂製の容器は、軽量で取り扱いが容易であり、また、透明性が確保できガラス製の容器に比較して遜色のない外観を呈すること等から近年、食品や飲料、化粧料あるいは薬剤などを充填する容器として多用されている。
【０００３】
例えば、炭酸飲料を充填するのに適した容器には、内圧上昇に伴う容器の変形や破損を防止する観点から、容器の底部を半球形状に成形し、容器の自立性を確保するために、その底部にベースカップが装着されているものがある。
【０００４】
上記のベースカップは、容器の底部に嵌合する開口を有する周壁と、この周壁につながりその裏面を接地面とする底壁からなっており、スチームや熱湯を使用した容器の加熱殺菌過程等で、容器の底部とベースカップとの間に入り込んだ水分が簡単にベースカップの外へと流れ出るようにその底壁には複数の水抜き用の貫通孔（排水孔）が設けられた構造になっている（例えば特許文献１参照）。
【特許文献１】実開平５─２２３３６号公報
【発明の開示】
【発明が解決しようとする課題】
【０００５】
従来、この種の容器において、光（太陽光や蛍光灯など）の透過によって風味が落ちる等、品質に影響を与えるような内容物を充填しているものにあっては、容器の胴体部分やベースカップに遮光用のフィルムやラベル等を装着することによって対処するのが普通であるが、上記のようなベースカップは黴の発生を防止する観点等から水抜き用の貫通孔を閉塞させることはないので、容器の保管状態によっては該開孔から光が侵入し、内容物の品質に悪影響を与えるおそれがあった。
【０００６】
本発明の課題は、水抜き用の貫通孔を閉塞させることなしに光の侵入を防止できる新規なベースカップを提案するところにある。
【課題を解決するための手段】
【０００７】
本発明は、容器の底部に嵌合する開口を有する周壁と、この周壁につながりその裏面を接地させて該容器を周壁とともに自立させる底壁からなるベースカップであって、
前記底壁は、その中央部を最も突出させて容器の底部を支えるとともにその縁部及び周壁との相互間にて環状凹部を区画形成するドーム型の断面形状からなり、
前記環状凹部の底部に、ベースカップ内に侵入した水分を底壁によって形成されたドーム型の空間内へ向けて排出する横向きの開孔を少なくとも１つ設け、この開孔の直上に位置する底壁の縁部に、該開孔よりも大きな幅を有し容器の底部に密着する舌片状の遮蔽壁を設けたことを特徴とする容器用ベースカップである。
【０００８】
上記の構成になるベースカップにおいて、遮蔽壁は先端に向けて漸次薄肉になり、容器の底部の形状に合わせて変形可能な弾性体にて構成するのが好ましい。
【発明の効果】
【０００９】
ベースカップの内側に流れ込んだ水分は、ドーム型の底壁に沿い環状凹部へと流れ落ち、横向きの開孔を経て外部へと排出される一方、該開孔から侵入する照明等の光はその直上に位置する遮蔽壁にて遮られる。
【発明を実施するための最良の形態】
【００１０】
以下、図面を参照して本発明をより具体的に説明する。
図１は本発明にしたがうベースカップを装着した容器の全体を示した図であり、図２(ａ)〜（ｃ）はベースカップの平面、底面及び要部断面をそれぞれ示した図である。
【００１１】
図における１は容器、２は容器１の底部において装着されたベースカップである。このベースカップ２は容器１の底部に嵌合する開口を形成する周壁２ａと、この周壁２ａにつながり容器１を周壁２ａとともに自立させる底壁２ｂからなる。
【００１２】
底壁２ｂはその中央を最も突出させて容器１の底部を支えるとともにその縁部２ｂ１及び周壁２ａとの相互間にて環状凹部３（ベースカップの最も低いところに位置する。）を形成するドーム型の断面形状を有している。
【００１３】
また、４は容器１の口部下端からベースカップ２の周壁２ａに装着され光の透過を防止する遮光フィルム（シュリンクフィルム等）、５は環状凹部３の底部において縁部２ｂ１の周り（内面）に沿って伸延する、幅がｗ１になる横向きの開孔である。この開孔５はベースカップ内に入り込んだ水分を底壁２ｂによって形成されたドーム型の空間Ｄ内へ向けて排出する。
【００１４】
さらに、６は開孔５の直上に位置する底壁２ｂの縁部２ｂ１に起立するように設けられた舌片状の遮蔽壁である。この遮蔽壁６は先端に向けて漸次薄肉にして容器１の底部の形状に合わせて変形可能な弾性体にて構成できるもので、該開孔５よりも大きな幅Ｗを有しており、ベースカップ２を容器１に装着する際に、遮蔽壁６の先端がベースカップ２の周壁２ａに接触するような高さをもたせておくことで、より遮光性を高めることができる。
【００１５】
上記の構成になるベースカップは、容器１への装着時、もしくは装着後にその内部にスチームや熱湯等が入り込んでも環状凹部３の開孔５を通して速やかに排出される。
【００１６】
太陽や照明等の光が開孔５を通してベースカップ内に侵入した場合であっても該開孔５の直上に配置された遮蔽壁６によって遮られるため、係る光が容器１の底部を透過して内容物の品質に影響を与えることはない。
【００１７】
ベースカップは、遮光性を有する合成樹脂にて成形してもよいし、遮光性を有するフィルムを装着してもよく、この点については限定されない。
【００１８】
また、ベースカップの底壁２ｂはドーム型の断面形状を有するものを示したが、環状凹部３へ向けて水分を流下させることができ、容器１の底部の形状に適合するものであればその形状は適宜変更することが可能である。
【００１９】
さらに、上記の実施の形態では、開孔５は横向き（水平方向）の開孔として示したが、この開孔５は図３に示すように環状凹部３の底部を部分的に切り欠いた開孔としてもよく、この場合、金型構造を簡素化することができるため成形性が改善され、排水性も向上する。開孔５の形状については図示のものに限られるわけではなく、任意の形状を採用することができる。
【産業上の利用可能性】
【００２０】
水分の排出を阻害することなしに光の侵入を防止できるベースカップ付きの容器が安定供給できる。
【図面の簡単な説明】
【００２１】
【図１】本発明にしたがうベースカップを装着した容器の全体を示した図である。
【図２】（ａ）〜（ｃ）はベースカップの平面、底面及び要部断面をそれぞれ示した図である。
【図３】本発明にしたがうベースカップの要部断面を示した図である。
【符号の説明】
【００２２】
１  容器
２  ベースカップ
２ａ  周壁
２ｂ  底壁
３  環状凹部
４  遮光フィルム
５  開孔
６  遮蔽壁
【図１】
2006096365.tif 000003
【図２】
2006096365.tif 000004
【図３】
2006096365.tif 000005